(57)【要約】      （修正有）【課題】製造に便利で製造コストを抑えることができ、且つ、固定後の構造の安定性が高く脱落しにくい、PCカードへの変換に用いるEXPRESSカード用アダプタカードの提供。【解決手段】プラスチック枠、コネクタ部及び２つの金属カバーを含み、該プラスチック枠は略U字形で、前後端にEXPRESSカード插入口及びコネクタ設置エリアを備え、左右両側外縁部にそれぞれ凹み溝を設け、該EXPRESSカード挿入槽の両側上下面に複数の係止孔及び相互に対向する２つの挿入孔をそれぞれ設け、該挿入孔に接地片ガイド孔及び嵌合部を設けると共に、該コネクタ部の前後端はPCカード接続挿入槽及びEXPRESSカードコネクタとし、該コネクタ設置エリアに設けた位置決め部に対応して設置され、該金属カバーの両側外縁部に該凹み溝に対応する細長鉤突起を設け、該金属カバーの内孔に該係止孔に対応する複数の係止部、該接地片ガイド孔に対応する接地弾性片、前記嵌合部に対応する鉤部を設ける。【選択図】図１
0003110687.tif 000002
【実用新案登録請求の範囲】
【請求項１】
プラスチック枠、コネクタ部及び２つの金属カバーを含んで成り、そのうち、該プラスチック枠は略U字形を呈し、前後の二端にエクスプレスカード插入口及びコネクタ部を設置するためのコネクタ設置エリアをそれぞれ備え、該コネクタ設置エリアに複数の鋼片位置決め部を設け、該プラスチック枠左右両側外縁部にそれぞれ凹み溝を設け、さらに該プラスチック枠のエクスプレスカード挿入槽の両側上下面の適切な位置に複数の係止孔を形成し、且つ、エクスプレスカード挿入槽両側の相互に対向する位置に２つの挿入孔をそれぞれ設け、前記コネクタ部の前後端は、回路板の前後端にそれぞれ設置されたPCカード接続挿入槽及びエクスプレスカードコネクタとし、且つ、PCカード接続挿入槽及びエクスプレスカードコネクタの両側に該プラスチック枠のコネクタ設置エリアの鋼片位置決め部に対応する位置決め突起をそれぞれ設け、前記金属カバーは、両側外縁部に内側に湾曲した細長鉤突起を設け、該細長鉤突起は前記凹み溝内に対応して係合され、該金属カバーに設けた内孔の辺縁部に複数の湾曲状の係止部を設け、片側に接地弾性片を設置し、且つ、該接地弾性片と対向する片側に鉤部を設置することを特徴とするエクスプレスカード用アダプタカード。
【請求項２】
前記両側に設けた係止孔が、位置を交錯させる方式で２つの平行な直線上に排列される請求項１に記載のエクスプレスカード用アダプタカード。
【請求項３】
前記挿入孔が接地片ガイド孔及び嵌合部の２つの部分を含む請求項１に記載のエクスプレスカード用アダプタカード。
【請求項４】
前記係止部にフック片を設けた請求項１に記載のエクスプレスカード用アダプタカード。
【請求項５】
前記接地弾性片上に接地導電点を設けた請求項１に記載のエクスプレスカード用アダプタカード。
【考案の詳細な説明】
【技術分野】
【０００１】
本考案は、エクスプレスカード用アダプタカードに関し、詳細には、エクスプレスカードをPCMCIAインターフェースに変換するためのアダプタカードであり、製造上の利便性が高く、製造コストを抑えることができ、且つ、固定後の構造の安定性がよく脱落しにくいエクスプレスカード用アダプタカードに関する。
【背景技術】
【０００２】
PCI-SIG（PCI Special Interest
Group）団体が制定するPCカード（即ち、PCMCIA）規格にはすでに非常に長い歴史がある。１９９０年代初頭からISAが内部伝送路に用いられ、当時は１６MB/sの理論帯域幅しかなく、さらに１９９５年にPCI規格を伝送路に用いる３２ビットカードバス規格が制定され、これは現在に至るまで取って代わられていない。しかし、現有のPCカード規格では、帯域幅や体積のどちらをとっても今日のニーズを満足させることはできず、特にノートブック型コンピュータにおいては、PCカードを代替する新規格に対する必要性が切迫している。このため、PCMCIAは２００２年４月１７日に次世代バス規格を正式にPCI
エクスプレスと命名して発表し、同時に、PCカードに取って代わるエクスプレスカード規格を発表した。エクスプレスカードの最大の特色は、PCI エクスプレス及びUSB
２.０との高度な統合にあり、PCIを基礎としたカードバスとは異なり、伝送経路にUSB ２.０を使用する場合は、理論帯域幅は４８０Mb/s（６０MB/s）となるが、PCI
エクスプレス １xを用いると５００MB/sに達し、既存のPCIバス規格を大きく超える。このほか、エクスプレスカードの体積はPCカードよりも小さく、市場のニーズに応えるため、本考案は特に新型のエクスプレスカードを挿入して接続するためのアダプタカードを設計・提供するものであり、エクスプレスカード内部のデータは接続を経て直接現有のコンピュータ設備上で使用することができ、コンピュータ設備全体をエクスプレスカード規格の制定に伴い更新する必要がなく、使用に便利で、製造における利便性も高く、また製造コストを抑えることも可能である。
【考案の開示】
【考案が解決しようとする課題】
【０００３】
本考案の考案者は上述の異なる規格の差異に鑑みて、個人の該項事業における長年の経験に基づき研究を重ね、斬新なエクスプレスカード用アダプタカードの設計に成功した。
【０００４】
本考案の主な目的は、エクスプレスカードをPCカードに変換して接続するアダプタカードであって、製造に便利で製造コストを抑えることができ、且つ、固定後の構造の安定性が高く脱落しにくい、アダプタカードを提供することにある。
【課題を解決するための手段】
【０００５】
上述の目的を達するため、本考案のエクスプレスカード用アダプタカードは、プラスチック枠、コネクタ部及び２つの金属カバーを含んで成り、そのうち、該プラスチック枠は略U字形を呈し、前後の二端にエクスプレスカード插入口及びコネクタ部を設置するためのコネクタ設置エリアをそれぞれ備え、且つ、プラスチック枠左右両側外縁部にそれぞれ凹み溝を設け、さらに該プラスチック枠のエクスプレスカード挿入槽の両側上下面の適切な位置に複数の係止孔及び相互に対向する２つの挿入孔をそれぞれ設け、且つ、該挿入孔に接地片ガイド孔及び嵌合部を設ける。該コネクタ部の前後端は、回路板の前後端にそれぞれ設置されたPCカード接続挿入槽及びエクスプレスカードコネクタとし、プラスチック枠のコネクタ設置エリアに設けた位置決め部に対応して設置される。さらに、該金属カバーの両側外縁部に内側に湾曲した細長鉤突起を設け、該細長鉤突起は前記凹み溝内に対応して係合され、その内部には前記係止孔に対応する複数の係止部と、前記接地片ガイド孔に対応して挿入される接地弾性片及び前記嵌合部に対応して係合される鉤部を備え、且つ、該係止部にフック片を設ける。
【０００６】
上述の構造に基づき、以下の手順により組み立てる。
１、前記金属カバーのうち１つをプラスチック枠の上方から組込み、該金属カバーの細長鉤突起を該プラスチック枠の凹み溝に対応させて嵌入し、係止部を係止孔に対応させ插入して固定し、接地弾性片と鉤部をそれぞれ両側の挿入孔に嵌合させる。
２、コネクタ部をプラスチック枠のコネクタ設置エリア内に合わせて設置する。
３、手順１を繰り返し、もう１つの金属カバーをプラスチック枠の下方から組込み、組み立てが完了する。このとき、すでにコネクタ部がプラスチック枠と金属カバー間に挟まれて固定され、組み立てに便利である。
【０００７】
前記２つの金属カバーの形状は同じであるため、余計な金型を開設する必要がなく、製造上の利便性と製造コストの節約という目的が達せられる。このほか、組み立て完了後、該金属カバー外縁部の細長鉤突起がプラスチック枠の凹み溝内に嵌合され、さらに金属カバーの係止部両側のフック片が緊密に係止孔内に固定されるため、金属カバーとプラスチック枠が完全に密閉された状態が形成され、その構造は安定性が高く、脱落しにくい。
【考案を実施するための最良の形態】
【０００８】
本考案の構造、装置及びその特徴について、以下、具体的な実施例と図面に基づき、詳細に説明する。
【０００９】
図１、図２、図２A、図２B、図２Cに示すように、本考案のエクスプレスカード用アダプタカードは、プラスチック枠１０、コネクタ部２０及び２つの金属カバー３０を含んで成る。
【００１０】
そのうち、前記プラスチック枠１０は略U字形を呈し、前後両端にエクスプレスカード插入口１１及びコネクタ部２０を組み込むためのコネクタ設置エリア１２をそれぞれ備え、該コネクタ設置エリア１２に２つの鋼片位置決め部１２aを設け、且つ、該プラスチック枠１０の左右両側外縁部に凹み溝１３をそれぞれ形成し、該プラスチック枠１０のエクスプレスカード挿入槽１４両側の適切な位置に複数の係止孔１４a及び相互に対向する２つの挿入孔１４bを設け、両側に設置された該係止孔１４aは、位置を交錯させる方式で２つの平行な直線上に排列され、該挿入孔１４bは接地片ガイド孔１４b１及び嵌合部１４b２の２つの部分を含む。
【００１１】
前記コネクタ部２０の前後端は、回路板２１の前後端にそれぞれ設置されたPCカード接続挿入槽２２及びエクスプレスカードコネクタ２３とし、且つ、該PCカード接続挿入槽２２及びエクスプレスカードコネクタ２３の左右両側にはプラスチック枠１０のコネクタ設置エリア１２に設置された鋼片位置決め部１２aに対応する位置決め突起２２a、２３aをそれぞれ設ける。
【００１２】
前記金属カバー３０は、両側の外縁部に内側に向かって湾曲した細長鉤突起３１を備え、該細長鉤突起３１は前記凹み溝１３内に対応して嵌入され、該金属カバー３０の内孔３２辺縁部には複数の湾曲状の係止部３２aを設け、該係止部３２aはフック片３２a１を備え、且つ、その片側に接地弾性片３２bを設け、該接地弾性片３２b上にさらに接地導電点３２b１を設け、且つ、該接地弾性片３２bと対向する片側に鉤部３２cを設置する。
【００１３】
組み立て手順は次の通りである。（１）金属カバー３０のうち１つをプラスチック枠１０の上方から組込み、該金属カバーの細長鉤突起３１を該プラスチック枠１０の凹み溝１３内に対応させて嵌入し、係止部３２aを係止孔１４a内に対応させ挿入して固定し、接地弾性片３２bを接地片ガイド孔１４b１内に対応させて挿入し、鉤部３２cを別の側の嵌合部１４b２内に嵌合させる。（２）コネクタ部２０を該プラスチック枠１０のコネクタ設置エリア１２内に対応させて組み込む。（３）手順（１）を繰り返し、もう１つの金属カバー３０をプラスチック枠１０の下方から組込み、組み立てが完了する。このとき、すでにコネクタ部２０はプラスチック枠１０及び金属カバー３０間に挟まれ固定される。
【００１４】
図３に本考案の使用模式図を示す。直接エクスプレスカード ２を本考案のアダプタカード１内に挿入し、さらにアダプタカード１をコンピュータ設備３のコンピュータPCカード挿入槽３a内に挿入する。これによりエクスプレスカード２内部のデータは、変換接続を経て、直接現有のコンピュータ設備３上で使用することができる。
【００１５】
上述のように、本考案のエクスプレスカード用アダプタカードは、プラスチック枠、２つの金属カバー及びコネクタ部から構成され、製造に便利で製造コストを節約できるだけでなく、固定後の構造の安定性が高く、脱落しにくいという利点があり、実用性と進歩性を兼ね備えているため、実用新案法の規定に基づき、ここに実用新案登録を出願するものである。
【図面の簡単な説明】
【００１６】
【図１】本考案の立体分解図である。
【図２】本考案の立体外観図である。
【図２Ａ】図２におけるA部の局部拡大図である。
【図２Ｂ】図２におけるB部の局部拡大図である。
【図２Ｃ】図２におけるC部の局部拡大図である。
【図３】本考案の使用を示す立体模式図である。
【符号の説明】
【００１７】
１        アダプタカード
２        エクスプレスカード
３        コンピュータ設備                             
３a      コンピュータPC CARD挿入槽
１０      プラスチック枠                                 
１１      エクスプレスカード插入口
１２      コネクタ設置エリア
１２a    鋼片位置決め部
１３      凹み溝
１４      エクスプレスカード挿入槽
１４a    係止孔
１４b    挿入孔
１４b１  接地片ガイド孔                               
１４b２  嵌合部                                           
２０      コネクタ部
２１      回路板
２２      PCカード接続挿入槽                      
２２a    位置決め突起
２３      エクスプレスカードコネクタ                
２３a    位置決め突起
３０      金属カバー
３１      細長鉤突起
３２      内孔
３２a    係止部
３２a１  フック片
３２b    接地弾性片                                    
３２b１  接地導電点                                    
３２c    鉤部
【図１】
0003110687.tif 000003
【図２】
0003110687.tif 000004
【図２Ａ】
0003110687.tif 000005
【図２Ｂ】
0003110687.tif 000006
【図２Ｃ】
0003110687.tif 000007
【図３】
0003110687.tif 000008